(57)【要約】【課題】貯留された薬剤を無駄なく使用することができる薬剤霧化器を提供する。【解決手段】薬剤容器６１の蓋部６３に設けられた連通穴６４に芯材６５を挿通し、芯材６５を連通穴６４によって垂直に保った状態で上下動自在とする。芯材６５に所定の弾性及び剛性を付与し、湾曲時に直線状に戻る復元力が働くように構成する。芯材６５の上端部に給液部７１を設け、芯材６５で吸い上げられた薬剤２を給液部７１で保持可能とする。芯材６５下端から給液部７１上端まで長さ寸法を、薬剤容器６１底面８１から霧化装置３４の振動板４３下面までの離間距離Ｒより長く設定する。芯材６５下端を薬剤容器１底面８１に当接し、芯材６５の給液部７１上端を振動板４３下面に当接させ、芯材６５を底面８１と振動板４３間に配置した状態で、芯材６５が湾曲するように構成する。【選択図】図１
2007203224.tif 000002
【特許請求の範囲】
【請求項１】
容器体内の薬剤を吸い上げる芯材の先端部に設定された給液部を振動板に当接し、前記芯材で吸い上げられた薬剤を前記振動板の振動で霧化する薬剤霧化器において、
前記芯材を弾性を有する部材で構成するとともに、該芯材の基端を前記容器体の底面に当接し、当該芯材を撓ませた状態で前記底面と前記振動板との間に配置したことを特徴とする薬剤霧化器。
【請求項２】
前記芯材の基端から前記給液部が設定された先端まで長さ寸法を、前記容器体の前記底面から前記振動板までの離間距離より長く設定したことを特徴とする請求項１記載の薬剤霧化器。
【請求項３】
前記芯材の基端を前記容器体の底面に位置決めする位置決め手段を備えたことを特徴とする請求項１又は２記載の薬剤霧化器。
【発明の詳細な説明】
【技術分野】
【０００１】
本発明は、芳香剤等の薬剤を霧化する薬剤霧化器に関する。
【背景技術】
【０００２】
従来、消臭剤、芳香剤、防虫剤、殺虫剤等の薬剤を霧化する薬剤霧化器としては、図４に示すような超音波噴霧装置８０１が知られている（例えば、特許文献１）。
【０００３】
この超音波噴霧装置８０１は、液状の薬剤８１１を貯留する貯液槽８１２を備えており、該貯液槽８１２には、転倒防止ガイド８１３が設けられている。該転倒防止ガイド８１３には、スプリング８１４が収容されており、該スプリング８１４上には、ガイドパイプ８１５が挿入されている。該ガイドパイプ８１５内には、保液材８１６が収容されており、該保液材８１６上端に設定された給液部８１７は、振動板８１８に当接されている。該振動板８１８は、圧電振動子８１９に支持されており、該圧電振動子８１９からの振動が伝達されるように構成されている。
【０００４】
前記スプリング８１４の付勢力によって前記保液材８１６の前記給液部８１７が圧接された前記振動板８１８には、複数の小孔が設けられており、当該振動板８１８を前記圧電振動子８１９で振動することによって、前記保液材８１６で吸い上げられた前記薬剤８１１を前記振動板８１８の小孔を介して霧化できるように構成されている。
【特許文献１】特開平６−３２００８３号公報
【発明の開示】
【発明が解決しようとする課題】
【０００５】
しかしながら、このような従来の超音波噴霧装置８０１にあっては、薬剤８１１を吸い上げた保液材８１６を振動板８１８に圧接する構造上、前記保液材８１６をスプリング８１４で押し上げるように構成されており、前記保液材８１６と貯液槽８１２の底面８２１との間には、前記スプリング８１４が配置されている。
【０００６】
このため、前記貯液槽８１２内の薬剤８１１が減少し、その液面８３１が前記スプリング８１４で付勢された前記保液材８１６より低くなると、当該薬剤８１１を前記保液材８１６で吸い上げることができなくなる。
【０００７】
すると、薬剤８１１が貯液槽８１２内に残存するにも関わらず薬剤８１１が霧化されず、前記貯液槽８１２の底部の薬剤８１１が無駄になるという問題があった。
【０００８】
本発明は、このような従来の課題に鑑みてなされたものであり、貯留された薬剤を無駄なく使用することができる薬剤霧化器を提供することを目的とするものである。
【課題を解決するための手段】
【０００９】
前記課題を解決するために本発明の請求項１の薬剤霧化器にあっては、容器体内の薬剤を吸い上げる芯材の先端部に設定された給液部を振動板に当接し、前記芯材で吸い上げられた薬剤を前記振動板の振動で霧化する薬剤霧化器において、前記芯材を弾性を有する部材で構成するとともに、該芯材の基端を前記容器体の底面に当接し、当該芯材を撓ませた状態で前記底面と前記振動板との間に配置した。
【００１０】
すなわち、容器体内の薬剤を吸い上げる芯材は、基端が前記容器体の底面に当接されるとともに、撓んだ状態で前記容器体の底面と振動板との間に配置されている。
【００１１】
このとき、前記芯材は、弾性を有する部材で構成されており、該芯材には、復元力が生ずる。そして、この復元力は、当該芯材を伸長する方向に働き、先端部に設定された給液部を、前記振動板に付勢する付勢力として作用する。
【００１２】
また、請求項２の薬剤霧化器においては、前記芯材の基端から前記給液部が設定された先端まで長さ寸法を、前記容器体の前記底面から前記振動板までの離間距離より長く設定した。
【００１３】
すなわち、前記芯材の基端から先端まで長さ寸法は、前記容器体の前記底面から前記振動板までの離間距離より長く設定されており、この芯材は、前記容器体の前記底面と前記振動板との間に配置された際に、撓んだ状態が形成される。
【００１４】
そして、請求項３の薬剤霧化器では、前記芯材の基端を前記容器体の底面に位置決めする位置決め手段を備えている。
【００１５】
これにより、前記容器体の底面に対する前記芯材の基端の位置が定められる。
【発明の効果】
【００１６】
以上説明したように本発明の請求項１の薬剤霧化器にあっては、容器体内の薬剤を吸い上げる芯材を撓ませた状態で前記容器体の底面と振動板との間に配置することによって、当該芯材が伸長方向する方向に作用する復元力を、先端部に設定された給液部を前記振動板に圧接する付勢力として利用することができる。
【００１７】
このため、芯材と容器体の底面との間にスプリング等を設けること無く、前記芯材先端部の給液部を前記振動板に圧接することができる。これにより、スプリング等の別部材が不要となり、低コスト化を図ることができる。
【００１８】
そして、前記芯材を撓ませた状態で、当該芯材の基端を前記容器体の底面に当接した状態に維持することができる。このため、芯材が容器体の底面から離れて配置される従来と比較して、前記容器体に収容された薬剤の液面が低下した場合であっても、前記芯材による薬剤の吸い上げを確実に行うことができる。
【００１９】
したがって、前記容器体に収容された前記薬剤を、最後まで無駄なく使用することができる。
【００２０】
また、請求項２の薬剤霧化器においては、前記芯材の基端から先端まで長さ寸法が、前記容器体の前記底面から前記振動板までの離間距離より長く設定されており、この芯材を、前記容器体の前記底面と前記振動板との間に配置することによって、当該芯材が撓んだ状態を形成することができる。
【００２１】
これにより、前記芯材先端部の給液部が前記振動板に圧接された状態を、確実に形成することができる。
【００２２】
そして、請求項３の薬剤霧化器では、前記芯材の基端を前記容器体の底面に位置決めする位置決め手段を備えることで、前記容器体の底面に対する前記芯材の基端の位置を定めることができ、前記芯材の湾曲状態を確実に維持することができる。
【００２３】
これにより、前記芯材が直線状に戻ろうとする復元力を確実に働かせることができ、当該芯材の上端部に設けられた給液部を前記振動板に確実に付勢することができる。
【発明を実施するための最良の形態】
【００２４】
以下、本発明の一の実施の形態を図に従って説明する。図１は、本実施の形態にかかる薬剤霧化器１を示す図であり、該薬剤霧化器１は、消臭剤、芳香剤、防虫剤、殺虫剤等の液状の薬剤２を霧化する装置である。
【００２５】
この薬剤霧化器１の霧化器本体１１は、上面が開口した容器状の下部ケース１２と、下面が開口した容器状の上部ケース１３とによって構成されている。該上部ケース１３の周壁１４は、前記下部ケース１２の周壁１５より大径に形成されており、該下部ケース１２に前記上部ケース１３を外嵌した状態で嵌着できるように構成されている。
【００２６】
前記下部ケース１２の前記周壁１５の上縁部には、外側に突出する係合部２１が設けられており、前記上部ケース１３の前記周壁１４の下縁部には、内側に突出する被係合部２２が設けられている。該被係合部２２は、前記上部ケース１３を前記下部ケース１２に嵌着した状態で、該下部ケース１２に設けられた前記係合部２１を乗り越えて該係合部２１の下部に配置されるように構成されており、前記係合部２１と前記被係合部２２とが係合することによって、前記上部ケース１３が前記下部ケース１２に係脱自在に取り付けられるように構成されている。
【００２７】
前記上部ケース１３の天面３１には、噴霧口３２が中央部に開設されており、当該上部ケース１３の前記周壁１４からは、前記天面３１に沿って延在する支持片３３が前記噴霧口３２へ向けて延出している。この支持片３３，３３と前記天面３１との間には、霧化装置３４の周縁部が挟持された状態で固定されており、当該霧化装置３４は、前記噴霧口３２の下部に配置されている。
【００２８】
すなわち、前記霧化装置３４は、図２に示すように、プラスチックやゴム等によってリング状の形成された支持体４１，４１を介して、前記天面３１及び前記支持片３３に挟持されており、前記支持体４１，４１に支持された円形リング状の圧電振動子４２と、該圧電振動子４２に支持された円形板状の振動板４３と、前記圧電振動子４２に駆動電圧を供給する図外の制御部とによって構成されている。
【００２９】
前記圧電振動子４２は、円形リング状の圧電素子５１を中心に構成されており、該圧電素子５１の上面には、円形リング板状の第１電極５２が積層されている。また、前記圧電素子５１の下面には、円形リング板状の第２電極５３が積層されており、前記制御部からの駆動電圧が前記第１及び第２電極５２，５３に供給された際に、前記圧電素子５１が振動するように構成されている。
【００３０】
この圧電素子５１の前記第２電極５３の内縁部には、前記振動板４３の周縁部が接着剤によって接着されており、前記圧電素子５１からの振動が伝達され、当該振動板４３が振動するように構成されている。この振動板４３は、リング状に形成された前記圧電振動子４２中央部の開口部を閉鎖するとともに、前記上部ケース１３の前記噴霧口３２の下部に配置されるように構成されており、当該振動板４３には、上下に貫通する複数の小孔が設けられている。
【００３１】
前記下部ケース１２には、図１に示したように、容器体としての薬剤容器６１を交換自在に収容できるように構成されており、該薬剤容器６１は、前記下部ケース１２の底面を基準面として、その高さ位置が位置決めされている。この薬剤容器６１には、前記薬剤２が収容されており、当該薬剤容器６１の首部６２に設けられた開口部は、蓋部６３で閉鎖されている。該蓋部６３の中央部には、内部に連通する連通穴６４が設けられており、該連通穴６４には、芯材６５が挿通されている。当該芯材６５は、前記連通穴６４にガイドされており、前記芯材６５は、前記連通穴６４によって垂直に保たれた状態で上下方向へスライドできるように支持されている。
【００３２】
前記芯材６５は、ポリアセタール、ポリプロピレン等の熱可塑性樹脂を所定形状のダイスによって細線状に押出形成されており、当該芯材６５には、所定の弾性及び剛性が付与されている。これにより、この芯材６５を湾曲させた状態では、直線状に戻る復元力が働くように構成されている。
【００３３】
また、前記芯材６５には、液体の吸い上げる為の毛細管が形成されており、前記薬剤容器６１内の薬剤２を当該芯材６５の上端まで吸い上げられるように構成されている。
【００３４】
この芯材６５の上端部には、該芯材６５より大径の給液部７１が設けられている。該給液部７１は、ポリエステル等の繊維を接着剤で収束結合して形成されており、円柱状に形成された多孔質体によって構成されている。これにより、前記芯材６５で吸い上げられた前記薬剤２を、さらに吸い上げるとともに、当該給液部７１に保持できるように構成されている。
【００３５】
上記芯材は具体的な例としては、例えば実開昭６３−１６６２４３号公報に記載されている吸い上げ芯を挙げることができる。また、他にも、実開昭５７−１２８８４２号公報の吸い上げ芯を用いることも可能である。
【００３６】
前記芯材６５の下端から前記給液部７１の上端まで長さ寸法は、前記薬剤容器６１の底面８１から前記霧化装置３４の前記振動板４３下面までの離間距離Ｒより長く設定されている。これにより、前記薬剤容器６１に挿入された前記芯材６５の下端を前記薬剤容器６１の前記底面８１に当接する一方、前記芯材６５の前記給液部７１の上端を前記霧化装置３４の前記振動板４３下面に当接させ、前記芯材６５を前記底面８１と前記振動板４３との間に配置した状態で、当該芯材６５が湾曲するように構成されており、前記芯材６５の下端が前記薬剤容器６１の角部側へ移動した場合であっても、その湾曲状態が維持される長さに設定されている。
【００３７】
そして、前記芯材６５の前記給液部７１が前記霧化装置３４の前記振動板４３下面に圧接された状態で、該振動板４３を振動されることによって、前記芯材６５で吸い上げられ前記給液部７１に保持された前記薬剤２を前記振動板４３の小孔を介して霧化できるように構成されている。
【００３８】
以上の構成にかかる本実施の形態において、前記薬剤容器６１内の薬剤２を吸い上げる芯材６５は、その下端が前記薬剤容器６１の底面８１に当接されるとともに、撓んだ状態で前記薬剤容器６１の底面８１と霧化装置３４の振動板４３との間に配置されている。
【００３９】
このとき、前記芯材６５は、弾性を有する部材で構成されており、該芯材６５には、復元力が生ずる。そして、この復元力は、当該芯材６５を伸長する方向に働き、薬剤容器６１の蓋部６３に設けられた連通口６４によって垂直方向に保たれ、上端部に設定された給液部７１を、前記振動板４３に付勢する付勢力として作用する。
【００４０】
このように、前記芯材６５を撓ませた状態で前記薬剤容器６１の底面８１と前記振動板４３との間に配置するだけで、芯材と容器体の底面との間にスプリング等を設けること無く、前記芯材６５上端部の前記給液部７１を前記振動板４３に圧接することができる。これにより、スプリング等の別部材が不要となり、低コスト化を図ることができる。
【００４１】
そして、前記芯材６５を撓ませた状態で、当該芯材６５の下端を前記薬剤容器６１の底面８１に当接した状態に維持することができる。このため、芯材が容器体の底面から離れて配置される従来と比較して、前記薬剤容器６１に収容された薬剤２の液面が低下した場合であっても、前記芯材６５による薬剤の吸い上げを確実に行うことができる。
【００４２】
したがって、前記薬剤容器６１に収容された前記薬剤２を、最後まで無駄なく使用することができる。
【００４３】
そして、前記芯材６５の下端から上端まで長さ寸法は、前記薬剤容器６１の前記底面８１から前記振動板４３下面までの離間距離Ｒより長く設定されており、この芯材６５を、前記薬剤容器６１の前記底面８１と前記振動板４３との間に配置するだけで、当該芯材６５が撓んだ状態を形成することができる。
【００４４】
これにより、前記芯材６５上端部の前記給液部７１が前記振動板４３に圧接された状態を、確実に形成することができる。
【００４５】
図３は、他の実施の形態を示す図であり、前述した薬剤容器６１の底面８１の中央部に、前記芯材６５の端部を支持して位置決めする位置決め手段としての芯材支持部１０１が突設されている。
【００４６】
この芯材支持部１０１は、円筒状に形成されており、前記底面８１に形成されている。この芯材支持部１０１の下部には、当該芯材支持部１０１の内部と外部とを連通する複数の開口部１１１，・・・が周面に沿って設けられており、当該芯材支持部１０１外周の薬剤２を内側に保持された前記芯材６５で吸い上げられるように構成されている。
【００４７】
このような構成においては、前記芯材６５の下端部を前記芯材支持部１０１に挿入した状態で前記底面８１の中央部に位置決めすることができ、前記芯材６５の湾曲状態を維持することができる。
【００４８】
これにより、この芯材６５が直線状に戻る復元力を常に働かせることができ、当該芯材６５の上端部に設けられた給液部７１を前記振動板４３に確実に付勢することができる。
【図面の簡単な説明】
【００４９】
【図１】本発明の一実施の形態を示す模式図である。
【図２】同実施の形態の要部を示す拡大図である。
【図３】他の実施の形態を示す模式図である。
【図４】従来の超音波噴霧装置を示す図である。
【符号の説明】
【００５０】
１    薬剤霧化器
２    薬剤
３４    霧化装置
４２    圧電振動子
４３    振動板
５１    圧電素子
６１    薬剤容器
６５    芯材
７１    給液部
８１    底面
１０１    芯材支持部
Ｒ    離間距離
【図１】
2007203224.tif 000003
【図２】
2007203224.tif 000004
【図３】
2007203224.tif 000005
【図４】
2007203224.tif 000006